(57)【要約】  ロードプライシングシステムは、ＧＰＳ受信装置と、路側無線装置と、自動車Ｖによる特定区域の利用に対する課金処理を行う課金処理装置と、自動車Ｖに設けられて、自動車Ｖが特定区域へ進入した場合に、特定区域の利用に対する課金処理を課金処理装置に要求する課金要求装置とを備える。課金要求装置は、ＧＰＳ受信装置によって測定された現在位置が特定区域に該当する場合、特定区域の利用に対して課金処理されていなければ、特定区域の利用に対する課金処理を課金処理装置に要求し、路側無線装置から区域データを受信した場合、区域データによって示される特定区域の利用に対して課金処理されていなければ、特定区域の利用に対する課金処理を課金処理装置要求する課金要求部を有する。
2013100091.tif 000002
【特許請求の範囲】
【請求項１】
自動車による特定区域の利用に対して課金するロードプライシングシステムであって、
前記自動車に設けられて、ＧＰＳ衛星からの電波を受信して現在位置を測定するＧＰＳ受信装置と、
前記特定区域への進入路のうち、前記ＧＰＳ衛星からの電波を受信し難い進入路に設けられて、前記進入路に対応する前記特定区域を示す区域データを無線送信する路側無線装置と、
前記自動車による特定区域の利用に対する課金処理を行う課金処理装置と、
前記自動車が前記特定区域へ進入した場合に、前記特定区域の利用に対する課金処理を前記課金処理装置に要求する課金要求装置と
を備え、
前記課金要求装置は、
前記ＧＰＳ受信装置によって測定された現在位置が前記特定区域に該当する場合、前記特定区域の利用に対して課金処理されていなければ、前記特定区域の利用に対する課金処理を前記課金処理装置に要求し、前記路側無線装置から前記区域データを受信した場合、前記区域データによって示される前記特定区域の利用に対して課金処理されていなければ、前記特定区域の利用に対する課金処理を前記課金処理装置に要求する課金要求部
を有するロードプライシングシステム。
【請求項２】
前記課金要求装置は、
前記特定区域の利用料金を算出する料金算出部
を更に有し、
前記課金要求部は、前記料金算出部が算出した利用料金の課金処理を前記課金処理装置に要求する
請求項１に記載のロードプライシングシステム。
【請求項３】
前記課金要求装置は、
前記特定区域の利用に対して課金処理されているか否かを判定する課金判定部
を更に有し、
前記課金要求部は、前記特定区域の利用に対して課金処理されていないと前記課金判定部が判定した場合に、前記特定区域の利用に対する課金処理を前記課金処理装置に要求する
請求項１又は２に記載のロードプライシングシステム。
【請求項４】
前記課金要求装置は、
前記ＧＰＳ受信装置によって測定された現在位置が前記特定区域に該当するか否かを判定する位置判定部
を更に有し、
前記課金要求部は、前記ＧＰＳ受信装置によって測定された現在位置が前記特定区域に該当すると前記位置判定部が判定した場合に、前記特定区域の利用に対して課金処理されていなければ、前記特定区域の利用に対する課金処理を前記課金処理装置に要求する
請求項１から３のいずれか一項に記載のロードプライシングシステム。
【請求項５】
自動車が特定区域へ進入した場合に、前記特定区域の利用に対する課金処理を、前記自動車による前記特定区域の利用に対して課金処理する課金処理装置に要求する課金要求装置であって、
前記自動車に設けられて、ＧＰＳ衛星からの電波を受信して現在位置を測定するＧＰＳ受信装置によって測定された現在位置が前記特定区域に該当する場合、前記特定区域の利用に対して課金処理されていなければ、前記特定区域の利用に対する課金処理を前記課金処理装置に要求し、前記特定区域への進入路のうち、前記ＧＰＳ衛星からの電波を受信し難い進入路に設けられて、前記進入路に対応する前記特定区域を示す区域データを無線送信する路側無線装置から前記区域データを受信した場合、前記区域データによって示される前記特定区域の利用に対して課金処理されていなければ、前記特定区域の利用に対する課金処理を前記課金処理装置に要求する課金要求部
を備える課金要求装置。
【請求項６】
自動車が特定区域へ進入した場合に、前記特定区域の利用に対する課金処理を、前記自動車による前記特定区域の利用に対して課金処理する課金処理装置に要求する課金要求装置を制御する制御方法であって、
前記自動車に設けられて、ＧＰＳ衛星からの電波を受信して現在位置を測定するＧＰＳ受信装置によって測定された現在位置が前記特定区域に該当する場合、前記特定区域の利用に対して課金処理されていなければ、前記特定区域の利用に対する課金処理を前記課金処理装置に要求し、前記特定区域への進入路のうち、前記ＧＰＳ衛星からの電波を受信し難い進入路に設けられて、前記進入路に対応する前記特定区域を示す区域データを無線送信する路側無線装置から前記区域データを受信した場合、前記区域データによって示される前記特定区域の利用に対して課金処理されていなければ、前記特定区域の利用に対する課金処理を前記課金処理装置に要求する課金要求段階
を備える制御方法。
【請求項７】
自動車が特定区域へ進入した場合に、前記特定区域の利用に対する課金処理を、前記自動車による前記特定区域の利用に対して課金処理する課金処理装置に要求する課金要求装置用のプログラムであって、前記課金要求装置を、
前記自動車に設けられて、ＧＰＳ衛星からの電波を受信して現在位置を測定するＧＰＳ受信装置によって測定された現在位置が前記特定区域に該当する場合、前記特定区域の利用に対して課金処理されていなければ、前記特定区域の利用に対する課金処理を前記課金処理装置に要求し、前記特定区域への進入路のうち、前記ＧＰＳ衛星からの電波を受信し難い進入路に設けられて、前記進入路に対応する前記特定区域を示す区域データを無線送信する路側無線装置から前記区域データを受信した場合、前記区域データによって示される前記特定区域の利用に対して課金処理されていなければ、前記特定区域の利用に対する課金処理を前記課金処理装置に要求する課金要求部
として機能させるプログラム。
【発明の詳細な説明】
【技術分野】
【０００１】
本発明は、ロードプライシングシステム、課金要求装置、制御方法、及びプログラムに関する。特に本発明は、自動車による特定区域の利用に対して課金するロードプライシングシステム、自動車が特定区域へ進入した場合に、特定区域の利用に対する課金を、自動車による特定区域の利用に対して課金する課金処理装置に要求する課金要求装置、当該課金要求装置を制御する制御方法、並びに当該課金要求装置用のプログラムに関する。
本願は、２０１１年１２月２８日に、日本に出願された特願２０１１−２８８６８７号に基づき優先権を主張し、その内容をここに援用する。
【背景技術】
【０００２】
ロードプライシングは、特定の道路や地域、時間帯における自動車利用者に対して課金することにより、自動車利用の合理化や交通行動の転換を促し、自動車交通量の抑制を図る施策で、ＴＤＭ（Ｔｒａｎｓｐｏｒｔａｔｉｏｎ  Ｄｅｍａｎｄ  Ｍａｎａｇｅｍｅｎｔ）施策の一つである。【０００３】
ロードプライシングを実施するためのシステムは、大都市を中心に導入が進められている。代表的なロードプライシングシステムは、課金対象の道路や地域への進入路に設けられたＤＳＲＣ（Ｄｅｄｉｃａｔｅｄ  Ｓｈｏｒｔ  Ｒａｎｇｅ  Ｃｏｍｍｕｎｉｃａｔｉｏｎ）路側無線装置と、自動車に設けられた車載器との間で無線通信を行って課金処理を行っている。しかしながら、このようなロードプライシングシステムは、課金対象の道路や地域への全ての進入路にＤＳＲＣ路側無線装置を設けなければならず、コストの面において課題が残る。【０００４】
例えば、特許文献１に記載の技術は、ＧＰＳ（Ｇｌｏｂａｌ  Ｐｏｓｉｔｉｏｎｉｎｇ  Ｓｙｓｔｅｍ）を利用して、課金対象の道路や地域への進入を検知して、課金処理を行うことにより、上述したような課題を解決することができる。また、特許文献１に記載の技術は、ＧＰＳ衛星からの電波を受信し難い場所にＤＳＲＣ路側無線装置を設けて、車載器がＤＳＲＣ路側無線装置と無線通信することによっても現在位置を把握することができるようにしている。
【先行技術文献】
【特許文献】
【０００５】
【特許文献１】特開２００７−１８３７５２号公報
【発明の概要】
【発明が解決しようとする課題】
【０００６】
特許文献１に記載の技術は、課金対象の道路や地域への進入路がＧＰＳ衛星からの電波を受信し難い場所であった場合、その進入路にＤＳＲＣ路側無線装置を設けるものである。そして、車載器は、ＤＳＲＣ路側無線装置から送信されたデータを受信することにより課金処理を行うことになる。【０００７】
しかしながら、車載器は、ＤＳＲＣ路側無線装置が設けられた進入路において、ＧＰＳ衛星からの電波を受信し難い場所であるとはいっても、ＧＰＳ衛星の位置によってはある程度精確な現在位置を測定し得る数のＧＰＳ衛星からの電波を受信することができることもある。その場合、車載器は、ＤＳＲＣ路側無線装置から送信されたデータを受信することにより課金処理を行うだけでなく、ＧＰＳを利用して課金対象の道路や地域への進入を検知しても課金処理を行い、重複課金してしまうことになる。
【課題を解決するための手段】
【０００８】
上記課題を解決するために、本発明の第１の形態によると、自動車による特定区域の利用に対して課金するロードプライシングシステムであって、自動車に設けられて、ＧＰＳ衛星からの電波を受信して現在位置を測定するＧＰＳ受信装置と、特定区域への進入路のうち、ＧＰＳ衛星からの電波を受信し難い進入路に設けられて、進入路に対応する特定区域を示す区域データを無線送信する路側無線装置と、自動車による特定区域の利用に対する課金処理を行う課金処理装置と、自動車が特定区域へ進入した場合に、特定区域の利用に対する課金処理を課金処理装置に要求する課金要求装置とを備え、課金要求装置は、ＧＰＳ受信装置によって測定された現在位置が特定区域に該当する場合、特定区域の利用に対して課金処理されていなければ、特定区域の利用に対する課金処理を課金処理装置に要求し、路側無線装置から区域データを受信した場合、区域データによって示される特定区域の利用に対して課金処理されていなければ、特定区域の利用に対する課金処理を課金処理装置に要求する課金要求部を有する。【０００９】
課金要求装置は、特定区域の利用料金を算出する料金算出部を更に有し、課金要求部は、料金算出部が算出した利用料金の課金処理を課金処理装置に要求してよい。【００１０】
課金要求装置は、特定区域の利用に対して課金処理されているか否かを判定する課金判定部を更に有し、課金要求部は、特定区域の利用に対して課金処理されていないと課金判定部が判定した場合に、特定区域の利用に対する課金処理を課金処理装置に要求してよい。【００１１】
課金要求装置は、ＧＰＳ受信装置によって測定された現在位置が特定区域に該当するか否かを判定する位置判定部を更に有し、課金要求部は、ＧＰＳ受信装置によって測定された現在位置が特定区域に該当すると位置判定部が判定した場合に、特定区域の利用に対して課金処理されていなければ、特定区域の利用に対する課金処理を課金処理装置に要求してよい。【００１２】
本発明の第２の形態によると、自動車が特定区域へ進入した場合に、特定区域の利用に対する課金処理を、自動車による特定区域の利用に対して課金処理する課金処理装置に要求する課金要求装置であって、自動車に設けられて、ＧＰＳ衛星からの電波を受信して現在位置を測定するＧＰＳ受信装置によって測定された現在位置が特定区域に該当する場合、特定区域の利用に対して課金処理されていなければ、特定区域の利用に対する課金処理を課金処理装置に要求し、特定区域への進入路のうち、ＧＰＳ衛星からの電波を受信し難い進入路に設けられて、進入路に対応する特定区域を示す区域データを無線送信する路側無線装置から区域データを受信した場合、区域データによって示される特定区域の利用に対して課金処理されていなければ、特定区域の利用に対する課金処理を課金処理装置に要求する課金要求部を備える。【００１３】
本発明の第３の形態によると、自動車が特定区域へ進入した場合に、特定区域の利用に対する課金処理を、自動車による特定区域の利用に対して課金処理する課金処理装置に要求する課金要求装置を制御する制御方法であって、自動車に設けられて、ＧＰＳ衛星からの電波を受信して現在位置を測定するＧＰＳ受信装置によって測定された現在位置が特定区域に該当する場合、特定区域の利用に対して課金処理されていなければ、特定区域の利用に対する課金処理を課金処理装置に要求し、特定区域への進入路のうち、ＧＰＳ衛星からの電波を受信し難い進入路に設けられて、進入路に対応する特定区域を示す区域データを無線送信する路側無線装置から区域データを受信した場合、区域データによって示される特定区域の利用に対して課金処理されていなければ、特定区域の利用に対する課金処理を課金処理装置に要求する課金要求段階を備える。【００１４】
本発明の第４の形態によると、自動車が特定区域へ進入した場合に、特定区域の利用に対する課金処理を、自動車による特定区域の利用に対して課金処理する課金処理装置に要求する課金要求装置用のプログラムであって、課金要求装置を、自動車に設けられて、ＧＰＳ衛星からの電波を受信して現在位置を測定するＧＰＳ受信装置によって測定された現在位置が特定区域に該当する場合、特定区域の利用に対して課金処理されていなければ、特定区域の利用に対する課金処理を課金処理装置に要求し、特定区域への進入路のうち、ＧＰＳ衛星からの電波を受信し難い進入路に設けられて、進入路に対応する特定区域を示す区域データを無線送信する路側無線装置から区域データを受信した場合、区域データによって示される特定区域の利用に対して課金処理されていなければ、特定区域の利用に対する課金処理を課金処理装置に要求する課金要求部として機能させる。【００１５】
なおまた、上記の発明の概要は、本発明の必要な特徴の全てを列挙したものではなく、これらの特徴群のサブコンビネーションもまた、発明となり得る。
【発明の効果】
【００１６】
以上の説明から明らかなように、この発明は、ロードプライシングシステムにおいて、ＧＰＳ受信装置によって測定された現在位置と、路側無線装置から受信したデータを利用して、特定区域の利用に対する課金を行うにあたり、重複課金されないようにすることができる。
【図面の簡単な説明】
【００１７】
【図１】一実施形態に係るロードプライシングシステム１００の利用環境の一例を示す図である。
【図２】車載器１１０のブロック構成の一例を示す図である。
【図３】区域情報格納部１１７に格納されている情報の一例をテーブル形式で示す図である。
【図４】課金履歴情報格納部１１８に格納される情報の一例をテーブル形式で示す図である。
【図５】料金情報格納部１１９に格納されている情報の一例をテーブル形式で示す図である。
【図６】車載器１１０の動作フローの一例を示す図である。
【図７】車載器１１０をコンピュータ等の電子情報処理装置で構成した場合のハードウェア構成の一例を示す図である。
【発明を実施するための形態】
【００１８】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１９】
図１は、一実施形態に係るロードプライシングシステム１００の利用環境の一例を示す。ロードプライシングシステム１００は、自動車Ｖによる課金対象の道路や地域の利用に対して課金するシステムである。なおまた、課金対象の道路や地域は、この発明における「特定区域」の一例であってよい。
【００２０】
ロードプライシングシステム１００は、車載器１１０、ＧＰＳ受信機１３０、ＤＳＲＣ路側無線装置１５０、及び課金サーバ１７０を備える。なおまた、車載器１１０は、この発明における「課金要求装置」の一例であってよい。また、ＧＰＳ受信機１３０は、この発明における「ＧＰＳ受信装置」の一例であってよい。また、ＤＳＲＣ路側無線装置１５０は、この発明における「路側無線装置」の一例であってよい。また、課金サーバ１７０は、この発明における「課金処理装置」の一例であってよい。
【００２１】
車載器１１０は、自動車Ｖに設けられている。そして、車載器１１０は、自動車Ｖが課金対象の道路や地域へ進入した場合に、課金対象の道路や地域の利用に対する課金処理を、通信回線Ｎを介して課金サーバ１７０に要求する。ここで、通信回線Ｎは、インターネット等のコンピュータネットワーク、通信事業者のコアネットワーク、及び種々のローカルネットワークを含む。
【００２２】
ＧＰＳ受信機１３０は、自動車Ｖに設けられている。そして、ＧＰＳ受信機１３０は、ＧＰＳ衛星からの電波を受信して現在位置を測定する。
【００２３】
ＤＳＲＣ路側無線装置１５０は、課金対象の道路や地域への進入路のうち、ＧＰＳ衛星からの電波を受信し難い進入路に設けられている。ここで、ＧＰＳ衛星からの電波を受信し難い進入路とは、例えば、周辺の建物によりＧＰＳの電波が多重反射し易い進入路等である。そして、ＤＳＲＣ路側無線装置１５０は、進入路に対応する課金対象の道路や地域を示す区域データを無線送信する。
【００２４】
課金サーバ１７０は、自動車Ｖによる課金対象の道路や地域の利用に対する課金処理を行う。
【００２５】
図２は、車載器１１０のブロック構成の一例を示す。車載器１１０は、測定データ入力受付部１１１、区域データ受信部１１２、位置判定部１１３、課金判定部１１４、料金算出部１１５、課金要求部１１６、区域情報格納部１１７、課金履歴情報格納部１１８、及び料金情報格納部１１９を有する。以下、各構成要素の機能及び動作を説明する。
【００２６】
測定データ入力受付部１１１は、ＧＰＳ受信機１３０によって測定された現在位置を示す測定データの入力を、ＧＰＳ受信機１３０から受け付ける。
【００２７】
区域データ受信部１１２は、ＤＳＲＣ路側無線装置１５０から無線送信された区域データを受信する。
【００２８】
位置判定部１１３は、ＧＰＳ受信機１３０によって測定された現在位置が課金対象の道路や地域に該当するか否かを判定する。
【００２９】
課金判定部１１４は、課金対象の道路や地域の利用に対して課金処理されているか否かを判定する。
【００３０】
料金算出部１１５は、課金対象の道路や地域の利用料金を算出する。
【００３１】
課金要求部１１６は、ＧＰＳ受信機１３０によって測定された現在位置が課金対象の道路や地域に該当する場合、その課金対象の道路や地域の利用に対して課金処理されていなければ、その課金対象の道路や地域の利用に対する課金処理を課金サーバ１７０に要求する。また、課金要求部１１６は、ＤＳＲＣ路側無線装置１５０から区域データを受信した場合、その区域データによって示される課金対象の道路や地域の利用に対して課金処理されていなければ、その課金対象の道路や地域の利用に対する課金処理を課金サーバ１７０に要求する。より具体的に説明すると、課金要求部１１６は、料金算出部１１５が算出した利用料金の課金処理を課金サーバ１７０に要求する。また、課金要求部１１６は、課金対象の道路や地域の利用に対して課金処理されていないと課金判定部１１４が判定した場合に、その課金対象の道路や地域に対する課金処理を課金サーバ１７０に要求する。また、課金要求部１１６は、ＧＰＳ受信機１３０によって測定された現在位置が課金対象の道路や地域に該当すると位置判定部１１３が判定した場合に、その課金対象の道路や地域の利用に対して課金処理されていなければ、その課金対象の道路や地域に対する課金処理を課金サーバ１７０に要求する。
【００３２】
図３は、区域情報格納部１１７に格納されている情報の一例をテーブル形式で示す。区域情報格納部１１７には、区域、及び境界位置の各情報が対応付けられて格納されている。
【００３３】
区域の情報は、課金対象の道路や地域を示す情報である。境界位置の情報は、区域の情報によって示される課金対象の道路や地域の境界の位置を特定するための情報である。
【００３４】
図４は、課金履歴情報格納部１１８に格納される情報の一例をテーブル形式で示す。課金履歴情報格納部１１８には、区域、課金日時（年／月／日／時：分：秒）の各情報が対応付けられて格納される。
【００３５】
区域の情報は、自動車Ｖが進入した課金対象の道路や地域を示す情報である。課金日時（年／月／日／時：分：秒）の情報は、区域の情報によって示される課金対象の道路や地域の利用に対して課金された日時を示す情報である。
【００３６】
図５は、料金情報格納部１１９に格納されている情報の一例をテーブル形式で示す。料金情報格納部１１９には、区域、時間帯（時：分〜時：分）、及び料金（円）の各情報が対応付けられて格納されている。
【００３７】
区域の情報は、課金対象の道路や地域を示す情報である。時間帯（時：分〜時：分）の情報は、１日のうちの、ある時刻とある時刻との間の一定の時間を示す情報である。料金（円）の情報は、区域の情報によって示される課金対象の道路や地域を、時間帯の情報によって示される時間に利用した場合の利用料金を示す情報である。
【００３８】
図６は、車載器１１０の動作フローの一例を示す。この動作フローは、課金対象の道路や地域に自動車Ｖが進入するときの車載器１１０の動作を示す。この動作フローの説明においては、図１から図５を共に参照する。
【００３９】
ＧＰＳ受信機１３０は、ＧＰＳ衛星からの電波を受信して現在位置を測定しており、その測定結果である現在位置を示す測定データを所定時間置きに出力する。
【００４０】
車載器１１０の測定データ入力受付部１１１は、ＧＰＳ受信機１３０から出力された測定データの入力を受け付けると（Ｓ１０１）、その測定データを、位置判定部１１３へ送る。
【００４１】
車載器１１０の位置判定部１１３は、測定データ入力受付部１１１から送られたデータを受け取ると、区域情報格納部１１７に格納されている情報を参照して、その測定データによって示される現在位置が課金対象の道路や地域に該当するか否かを判定する（Ｓ１０２）。より具体的に説明すると、区域情報格納部１１７には、図３に示すように、課金対象の道路や地域の境界の位置を特定するための境界位置情報が格納されている。例えば、課金対象の道路の境界は、境界位置の情報として格納されている２つの座標を結んだ線とする。同様に、課金対象の地域の境界は、境界位置の情報として格納されている複数の座標を結んだ線とする。即ち、位置判定部１１３は、測定データによって示される現在位置が課金対象の地域の境界線を超えた場合に、自動車Ｖの現在位置が課金対象の道路や地域に該当すると判定する（Ｓ１０２：Ｙｅｓ）。そして、位置判定部１１３は、自動車Ｖの現在位置が課金対象の道路や地域に該当すると判定した場合、その該当する課金対象の道路や地域を示すデータを、課金判定部１１４へ送る。
【００４２】
ところで、上述したように、課金対象の道路や通路への進入路のうち、ＧＰＳ衛星からの電波を受信し難い進入路には、ＤＳＲＣ路側無線装置１５０が設けられている。そして、ＤＳＲＣ路側無線装置１５０は、進入路に対応する課金対象の道路や地域を示す区域データを送信している。
【００４３】
車載器１１０の区域データ受信部１１２は、ＤＳＲＣ路側無線装置１５０の通信範囲内に自動車Ｖが進入することによって、ＤＳＲＣ路側無線装置１５０から送信された区域データを受信すると（Ｓ１０３：Ｙｅｓ）、その区域データを、課金判定部１１４へ送る。
【００４４】
車載器１１０の課金判定部１１４は、位置判定部１１３から送られたデータを受け取ると、課金履歴情報格納部１１８に格納されている情報を参照して、そのデータによって示される課金対象の道路や地域の利用に対して課金処理されているか否かを判定する（Ｓ１０４）。より具体的に説明すると、課金判定部１１４は、位置判定部１１３から受け取ったデータによって示される課金対象の道路や地域の利用に対して課金された課金日時の情報が課金履歴情報格納部１１８に格納されていれば、課金処理されていると判定する（Ｓ１０４：Ｙｅｓ）。同様に、課金判定部１１４は、区域データ受信部１１２から送られたデータを受け取った場合にも、課金履歴情報格納部１１８に格納されている情報を参照して、その区域データによって示される課金対象の道路や地域の利用に対して課金処理されているか否かを判定する。そして、課金判定部１１４は、課金対象の道路や地域の利用に対して課金処理されていると判定した場合、その課金対象の道路や地域を示すデータを、料金算出部１１５へ送る。
【００４５】
車載器１１０の料金算出部１１５は、課金判定部１１４から送られたデータを受け取ると、料金情報格納部１１９に格納されている情報を参照して、そのデータによって示される課金対象の道路や地域の利用料金を算出する（Ｓ１０５）。そして、料金算出部１１５は、算出した利用料金を示すデータを、課金要求部１１６へ送る。
【００４６】
車載器１１０の課金要求部１１６は、料金算出部１１５から送られたデータを受け取ると、そのデータによって示される利用料金の課金処理を要求する旨のデータを、課金サーバ１７０へ送信する（Ｓ１０６）。そして、課金要求部１１６は、課金処理の要求を行った課金日時の情報を、課金履歴情報格納部１１８に格納する。
【００４７】
課金サーバ１７０は、車載器１１０から送信されたデータを受け取ると、そのデータによって示される要求に従って、利用料金の課金処理を行う。
【００４８】
以上説明したように、ロードプライシングシステム１００は、ＧＰＳ受信機１３０によって測定された現在位置と、ＤＳＲＣ路側無線装置１５０から受信した区域データを利用して、課金対象の道路や地域の利用に対する課金を行うにあたり、重複課金されないようにすることができる。
【００４９】
なおまた、上述した実施形態においては、課金サーバ１７０に対する課金要求を、車載器１１０が行う例について説明した。しかしながら、課金サーバ１７０に対する課金要求処理は、例えば、車載器１１０、及び課金サーバ１７０と通信回線Ｎを介して通信接続される課金要求サーバが行うこともできる。その場合、車載器１１０の測定データ入力受付部１１１、及び区域データ受信部１１２以外の少なくとも課金要求部１１６を含む他の構成要件は、課金要求サーバの構成要件とすることができる。但し、上述した実施形態のように、課金要求サーバを備えないシステムとして、車載器１１０が全ての構成要件を有する場合には、車載器１１０と課金要求サーバ間の通信によるタイムラグがないことから、課金要求されるまでの時間が短縮される。
【００５０】
図７は、車載器１１０をコンピュータ等の電子情報処理装置で構成した場合のハードウェア構成の一例を示す。車載器１１０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力コントローラ８０６によりホスト・コントローラ８０１に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク・ドライブ８１１、及び入出力チップ８１２を有する。
【００５１】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【００５２】
入出力コントローラ８０６は、ホスト・コントローラ８０１と、比較的高速な入出力装置であるハードディスクドライブ８０８、通信インターフェース８０７、ＣＤ−ＲＯＭドライブ８０９を接続する。ハードディスクドライブ８０８は、ＣＰＵ８０２が使用するプログラム、及びデータを格納する。通信インターフェース８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェース８０７に提供する。
【００５３】
入出力コントローラ８０６には、ＲＯＭ８１０と、フレキシブルディスク・ドライブ８１１、及び入出力チップ８１２の比較的低速な入出力装置とが接続される。ＲＯＭ８１０は、車載器１１０が起動時に実行するブート・プログラム、あるいは車載器１１０のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェース８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【００５４】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、車載器１１０を、図１から図６に関連して説明した測定データ入力受付部１１１、区域データ受信部１１２、位置判定部１１３、課金判定部１１４、料金算出部１１５、課金要求部１１６、区域情報格納部１１７、課金履歴情報格納部１１８、及び料金情報格納部１１９として機能させる。
【００５５】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【００５６】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【産業上の利用可能性】
【００５７】
本発明のいくつかの態様によれば、自動車による特定区域の利用に対して課金することができる。  
【符号の説明】
【００５８】
１００  電気給湯システム
１１０  ヒートポンプユニット制御装置
１１１  設定データ入力受付部
１１２  しきい値データ入力受付部
１１３  総需要電力予測部
１１４  気象予報データ入力受付部
１１５  供給電力予測部
１１６  電力需給予測値算出部
１１７  余剰電力時間算出部
１１８  蓄熱量データ入力受付部
１１９  需要量予測部
１２０  蓄熱量予測値算出部
１２１  蓄熱量設定値データ入力受付部
１２２  要求熱量算出部
１２３  必要稼働時間算出部
１２４  時間判定部
１２５  スケジュール生成部
１２６  制御データ出力部
１２７  設定データ格納部
１２８  しきい値データ格納部
１２９  総需要電力データ格納部
１３０  需要量データ格納部
１３１  蓄熱量設定値データ格納部
１４０  太陽光発電装置
１５０  商用電源
１６０  二次電池
１７０  分電盤
１８０  自然冷媒ヒートポンプ給湯機
１８１  ヒートポンプユニット
１８２  貯湯タンク
１９０  家電機器
１９０ａ  電子レンジ
１９０ｂ  トースター
１９０ｃ  ミキサー
２００  Ｗｅｂサーバ
２１０  通信回線
８０１  ホスト・コントローラ
８０２  ＣＰＵ
８０３  ＲＡＭ
８０４  グラフィック・コントローラ
８０５  表示装置
８０６  入出力コントローラ
８０７  通信インターフェース
８０８  ハードディスクドライブ
８０９  ＣＤ−ＲＯＭドライブ
８１０  ＲＯＭ
８１１  フレキシブルディスク・ドライブ
８１２  入出力チップ
８９１  ネットワーク通信装置
８９２  ＣＤ−ＲＯＭ
８９３  フレキシブルディスク
【図１】
2013100091.tif 000003
【図２】
2013100091.tif 000004
【図３】
2013100091.tif 000005
【図４】
2013100091.tif 000006
【図５】
2013100091.tif 000007
【図６】
2013100091.tif 000008
【図７】
2013100091.tif 000009
【国際調査報告】
2013100091.tif 000010
2013100091.tif 000011
2013100091.tif 000012
2013100091.tif 000013